(57)【要約】【課題】パソコンの普及とともに、オフィスや家庭のコンセント周りは、機器台数が多くなると自然に電線が乱暴になり、コンセントからタップまたタップつなぐ状態、たこ足配線なり、電線にゴミが溜まり、トラキング現象が時間とともに危険性が高くなる。現在の環境を解決するためにパソコン本体内にある電源ユニットを外部用にＤＣ電源供給できるようにし、パソコン本体の電源スイッチＯＮ／ＯＦＦ操作で周辺機器もＯＮ／ＯＦＦするように提供し、コンセントが一つですむ。【解決手段】パソコン本体の電源を利用することで周辺機器に使うＡＣアダプタ電源がなくなりパソコン本体の裏側ＰＣＩ及びＰＣＩＬＯＷ形に装着したＤＣアダプタから外部側にＤＣ電源供給する。また、ＤＣ電源供給システム（特許出願番号  特願２００５−１３３０３０）を採用することで多数の周辺機器（モニタ、プリンタまたスキャナ、スピーカ、外付ハードディスク、外付記録、その他）にＤＣ電源を供給するシステムを開発した。【選択図】図１
2007226759.tif 000002
【特許請求の範囲】
【請求項１】
パソコン用内部電源から供給されるＤＣ電源コネクタを利用し、ＰＣＩ及びＰＣＩＬＯＷ形から各周辺機器へＤＣ電源を供給する装置回路である。
【請求項２】
装置回路はＤＣ電源出力コネクタを各周辺機器専用ＤＣケーブルアダプタ形に変換し、各周辺機器用にＤＣ電源を供給する。
【請求項３】
装置回路内に電圧と電流を調整できる回路組込み、電源仕様が異なる機器にＤＣ固定電源出力を提供する。
【発明の詳細な説明】
【技術分野】
【０００１】本発明は、パソコン用周辺機器に必要なＡＣアダプタを採用しているパソコン用周辺機器製品１台に１個のＡＣアダプタでは、パソコン用周辺機器台数が多くなると電線が自然と乱暴になり、たこ足配線やコンセント数が沢山必要で時間とともにトラキング現象の危険性が高くなる。【０００２】パソコン用周辺機器の電源スイッチＯＮ／ＯＦＦ操作がなくなり、パソコン本体の電源スイッチＯＮ／ＯＦＦ操作で周辺機器も作動する。【０００３】機器用ＡＣアダプタを使用しないので、そのぶん環境や電気節約につながる。【０００４】パソコンケース内には電源ユニットがありＤＣ電源出力コネクタ沢山ある、ＤＣ電源出力コネクタからＤＣケーブルアダプタ用に変換し、ＰＣＩ及びＰＣＩＬＯＷ形から外部へＤＣ固定電源出力し、各周辺機器（モニタ、プリンタ、スキャナ、スピーカ外付ハードディスク、外付記録、その他）に電源供給を可能にした。【０００５】ＰＣＩ及びＰＣＩＬＯＷ形から外部へのＤＣ固定電源出力は、２分割以上にする。【０００６】一つはＤＣ電源出力コネクタからＤＣケーブルアダプタ用に変換した装置回路。
また、ＤＣケーブルアダプタは、ＤＣ電源供給システム（特許出願番号  特願２００５−１３３０３０）に繋ぐことで多数の周辺機器に電源供給できる。【０００７】二つめは機器側の電源仕様に変える装置回路を備え固定電源を供給する装置回路である。
【背景技術】
【０００８】従来のパソコン用各周辺機器製品は１台に１個のＡＣアダプタ必要だった。【０００９】機器台数が多くなると自然に電線が乱暴になり、電線にゴミが溜まり時間とともにトラキング現象の危険性が高くなる。
【発明の開示】
【発明が解決しようとする課題】
【００１０】パソコン用各周辺機器製品１台に１個のＡＣアダプタと１個のコンセントが必要ためパソコン用周辺機器台数が増えるたびに周りは沢山のＡＣアダプタとコンセントから枝分かれするタップが必要。
このためパソコンの裏側は電線が乱暴になり、たこ足配線のもとになるコンセントからタップまたタップに繋ぐ現象が起きる。この結果、自然に電線のまわりにゴミが溜まり時間とともにトラキング現象が起きやすく危険性が高くなる。この環境を解決するため本発明した。【００１１】本発明は、パソコン本体の電源ユニットだけで、各周辺機器の電源供給をコンセント一つですむように開発した。【００１２】この結果、パソコン用周辺機器の電源スイッチＯＮ／ＯＦＦ操作がなくなりパソコン本体の電源スイッチＯＮ／ＯＦＦだけで電源供給が可能になった。【００１３】パソコン内ある電源ユニットは必要以上にＤＣ電源出力コネクタがあり、ＤＣ電源出力コネクタをＤＣアダプタに変換し、ＰＣＩ及びＰＣＩＬＯＷ形に組付け外部用に利用できるように開発した。
【課題を解決するための手段】
【００１４】パソコン用電源ユニットは必要以上にＤＣ電源出力コネクタがある。ＤＣ電源出力コネクタを外部に使えるようにするためＰＣＩ及びＰＣＩＬＯＷ形にＤＣアダプタ組付けた。【００１５】ＤＣ電源出力コネクタをＤＣアダプタに変換する装置回路組み込んだ。この結果、外部に必要な各周辺機器にＤＣ電源を利用できるように開発した。【００１６】また、ＤＣアダプタが利用できることで多数の周辺機器に耐用するためのＤＣ電源供給システム（特許出願番号  特願２００５−１３３０３０）に繋ぐことで多数の周辺機器に電源供給できる。【００１７】次に各周辺機器は電源仕様が違う。仕様用電源に変更しなければいけない。【００１８】電圧は３端子レギュレータ又は３端子可変出力形安定化電源回路（ＩＣ）やツェナーダイオードを採用し、電圧と電流を変更する。【００１９】現在ある部品を組合すことでパソコン用電源ユニット内部ＤＣ電源を外部に供給装置を開発した。
【発明の効果】
【００２０】パソコン用内部ＤＣ電源を利用することで各周辺機器の電源が１個で済む、これによりコンセントも１個ですむのでパソコン裏側は、たこ足配線もとになるタップからタップに繋ぐ現象がなくなり、たこ足配線やトラキング現象の危険性が少なくなる。電線の数が少なくなり、電線の配策が整理しやすくなる。【００２１】パソコン用周辺機器の電源スイッチＯＮ状態でも、パソコン本体の電源スイッチＯＮ／ＯＦＦ操作で各周辺機器も作動する。パソコン本体がＯＦＦ時は周辺機器の電源スイッチがＯＮでも電源が供給されないため節電対策につながる。
【発明の実施するための最良の形態】
【００２２】以下、本発明の実施の形態について説明する。
【図１】
【００２３】パソコンケース内にある電源ユニットから出っているＤＣ電源出力コネクタを本発明のＰＣＩ及びＰＣＩＬＯＷ形の内側に接続する。
【図２】
【００２４】本発明の全体図である。ＤＣ電源出力コネクタを４−３ＩＮ側ＤＣ電源出力コネクタ（内部）に接続し、４−４ＯＵＴ側ＤＣアダプタ（外部）から外部機器にＤＣ電源出力し供給する。
【図３】
【００２５】ＰＣＩ及びＰＣＩＬＯＷ形から外部出力１からＤＣ電源供給システム（特許出願番号  特願２００５−１３３０３０）に繋ぐことで多数の周辺機器に電源供給する。
【００２６】ＰＣＩ及びＰＣＩＬＯＷ形から外部出力２〜３は電源仕様が異なるＤＣ固定電源出力回路ある。
【００２７】定電圧回路（３端子レギュレータ又は３端子可変出力形安定化電源回路（ＩＣ）やツェナーダイオード）を採用し、ＤＣ電源出力を変化させ外部の機器電源仕様用に適合する装置回路図である。
【図４】
【００２８】ＤＣ電源供給システム（特許出願番号  特願２００５−１３３０３０）（参考）である。
【図面の簡単な説明】
【００２７】
【図１】本発明の組付け図である。
【図２】本発明の全体図である。
【図３】ＤＣ固定電源（電圧と電流変更可能回路）装置回路図である。
【図４】ＤＣ電源供給システム（特許出願番号  特願２００５−１３３０３０）。
【符号の説明】
【００２８】１  パソコン本体
２  パソコン用内部電源ユニット
３  ＤＣ電源出力コネクタ
４  ＰＣＩ及びＰＣＩＬＯＷ形本体
４−１  ＰＣＩ及びＰＣＩＬＯＷ形ブラケット
４−２  基板
４−３  ＩＮ側ＤＣ電源出力コネクタ（内部）
４−４  ＯＵＴ側ＤＣアダプタ（外部）
４−５  変換する装置回路
【図１】
2007226759.tif 000003
【図２】
2007226759.tif 000004
【図３】
2007226759.tif 000005
【図４】
2007226759.tif 000006